(57)【特許請求の範囲】
【請求項１】
テレビジョン(１)とテレビ台(３)との組合せであって、テレビ台(３)は、ベース板(31)の前部両側及び後部に支持壁(４)(４)(５)を突設し、各支持壁(４)(４)(５)の上端面にはテレビの底部が嵌まり込むガイド壁(41)(41)(51)が突設され、前部の支持壁(４)(４)上のガイド壁(41)(41)は、該支持壁(４)の前面(42)及び外側面(43)に連続しており、後部の支持壁(５)のガイド壁(51)は該支持壁(５)の後面に連続しており、テレビジョン(１)の底部には、上記テレビ台(３)のガイド壁(41)(41)(51)間に嵌まり込む短い脚部(２)が形成され、テレビ台(３)にテレビジョン(１)をセットした状態で、テレビ台(３)の前部支持壁(４)の前面及び外側面(43)及び後部支持壁(５)の外側面(53)は、テレビジョン(１)の前面(14)及び側面(13)に面が揃い、テレビジョン底部の前部両側及び後部と、前記各ガイド壁(41)(41)(51)との対応部分は、外部から人の手指が挿入できない手指引掛け禁止領域(21)となり、前部の両支持壁(４)(４)と後部の支持壁(５)の間、及び前部の両支持壁(４)(４)間にて、テレビジョン底部は、テレビジョンを持ち上げるために人の手指がテレビジョンの底部に十分に引っ掛かり可能な範囲で手指引掛け許容領域(22)となっており、該手指引掛け許容領域(22)に対応してテレビジョン底部の下方はテレビ台(３)に入り込んで開放されている台付きテレビジョン。
【請求項２】
３つの支持壁(４)(４)(５)の上端に跨って補強板(６)が固定されている請求項１に記載の台付きテレビジョン。
【請求項３】
テレビジョン(１)の脚部(２)の両端前部は前方に突出しており、テレビ台(３)の両前部の支持壁(４)(４)も、該脚部(２)の前部両端の着地形状に対応する載せ面(40)に形成されている請求項１又２に記載の台付きテレビジョン。
【発明の詳細な説明】
【０００１】
【発明の属する分野】
本発明は、主として大型テレビジョンと台との組合せに関し、テレビジョンを台に載せる際の指詰め防止及びテレビジョンと台の一体感による美観の向上を図った台付きテレビジョンに関するものである。
【０００２】
【従来の技術及び発明が解決しようとする課題】
大型テレビジョンは専用の台に載せて使用されることが多い。
テレビ台は、テレビジョンを該台に載せる際の指詰めを防止するために、左右の大きさをテレビジョンより小さく形成したものが多い。
この場合、台の両側からテレビジョンがはみ出て頭でっかちとなり、安定感に欠け、見映えもしない。
【０００３】
本発明は、上記指詰めの問題を解決すると共に、テレビ台とテレビジンの周側面の面を揃えて両者の一体感により美観を向上できる台付きテレビジョンを明らかにするものである。
【０００４】
【課題を解決する手段】
本発明は、テレビジョン(１)とテレビ台(３)との組合せであって、テレビ台(３)は、ベース板(31)の前部両側及び後部に支持壁(４)(４)(５)を突設し、各支持壁(４)(４)(５)の上端面にはテレビの底部が嵌まり込むガイド壁(41)(41)(51)が突設され、前部の支持壁(４)(４)上のガイド壁(41)(41)は、該支持壁(４)の前面(42)及び外側面(43)に連続しており、後部の支持壁(５)のガイド壁(51)は該支持壁(５)の後面に連続しており、テレビジョン(１)の底部には、上記テレビ台(３)のガイド壁(41)(41)(51)間に嵌まり込む短い脚部(２)が形成され、テレビ台(３)にテレビジョン(１)をセットした状態で、テレビ台(３)の前部支持壁(４)の前面及び外側面(43)及び後部支持壁(５)の外側面(53)は、テレビジョン(１)の前面(14)及び側面(13)に面が揃い、テレビジョン底部の前部両側及び後部と、前記各ガイド壁(41)(41)(51)との対応部分は、外部から人の手指が挿入できない手指引掛け禁止領域(21)となり、前部の両支持壁(４)(４)と後部の支持壁(５)の間、及び前部の両支持壁(４)(４)間にて、テレビジョン底部は、テレビジョンを持ち上げるために人の手指がテレビジョンの底部に十分に引っ掛かり可能な範囲で手指引掛け許容領域(22)となっており、該手指引掛け許容領域(22)に対応してテレビジョン底部の下方はテレビ台(３)に入り込んで開放されている。
【０００５】
【作用及び効果】
テレビジョン(１)をテレビ台(３)に載せるには、テレビジョン底部の前及び左右の手指引掛け許容領域(22)(22)(22)に手を掛けて持ち上げ、テレビ台(３)のガイド壁(41)(41)(51)間にテレビジョンの脚部(２)を嵌める。
テレビジョン(１)は大型化するほど、ブラウン管(10)の重量増により前部が重くなる比率が高くなるが、テレビジョン底部の前部にも手指引掛け許容領域(22)を設けているため、安定して持ち上げることができる。
【０００６】
テレビジョン(１)をテレビ台(３)に載せる際、各手指引掛け許容領域(22)ではテレビジョン(１)とテレビ台(３)との間に手指の挿脱が可能な空間が確保されているため指詰めの危険はない。
又、テレビジョン底部外周の手指引掛け許容領域(22)以外の部分は、手指引掛け禁止領域(21)となり、テレビジョン(１)を持ち上げるほどには手指が掛からぬため、誤って手指引掛け禁止領域(21)に手指を引掛けて持ち上げることはなく、指詰め事故を確実に防ぐことができる。
【０００７】
テレビ台(３)にテレビジョン(１)をセットすれば、テレビ台(３)の前部支持壁(４)の前面(42)と外側面(43)及び後部支持壁(５)の外側面(53)は、テレビジョン(１)の前面(14)及び側面(13)に面が揃うため、テレビジョン(１)とテレビ台(３)が恰も一体化した如く調和がとれ、美観が向上する。
【０００８】
【発明の実施の形態】
図１は、テレビ台(３)に、重量７０ｋｇ程度の大型テレビジョン(１)を載せた状態を示している。
テレビ台(３)は、ベース板(31)の前部両側及び後部に支持壁(４)(４)(５)を突設して形成されている。
図１、図７に示す如く、ベース板(31)の上から見た輪郭は、直線状或いは緩やかに中央部が膨らんだ略円弧状前縁(31a)の両端から後方に略直角に曲がった前部側縁(31b)(31b)が続き、両前部側縁(31b)(31b)が半円状の後縁(31c)で繋がっており左右対称である。
ベース板(31)は複数の車輪(32)を具えている。
【０００９】
前部の両支持壁(４)(４)は、ベース板(31)の前端から少し後方へ下がった位置からベース板(31)の側縁(31b)に沿って該側縁(31b)の終端間まで延びており、断面矩形である。
後部の支持壁(５)は、ベース板(31)の左右の中心線Ｌからベース板(31)の円弧状後縁に沿って左右対称に延びており、上記前部の支持壁(４)(４)と支持壁(５)との間に人の手を差し込むのに十分余裕のある開口(30)(30)が存在する。
【００１０】
図２に示す如く、実施例では、後部の支持壁(５)は中空体であって、低音域専用スピーカ(図示せず)を組み込んだスピーカボックス(50)が内蔵され、支持壁(５)の後面及び支持壁(５)の一方の端面の開口(52)から音が出る様になっている。
スピーカボックス(50)及びスピーカは、支持壁(５)の左右の中心線Ｌよりも開口(52)側に寄せて取り付けられている。
【００１１】
前部の支持壁(４)(４)の外側面(43)(43)及び後部の支持壁(５)の外側面(53)はベース板(31)の外周面と面が揃っている。
前部の支持壁(４)(４)と後部の支持壁(５)の高さは同じであって、各支持壁(４)(４)(５)の上端面にはテレビの底部が嵌まり込むガイド壁(41)(41)(51)が突設されている。
【００１２】
前部の支持壁(４)のガイド壁(41)は、支持壁(４)の前面(42)の幅方向の全長に亘って延びる前ガイド片(41a)と、支持壁(４)の外側面(43)の幅方向の全長に亘って延びる外ガイド片(41b)と、支持壁(４)の前面(42)から内側面(44)へ短く延びる内ガイド片(41c)とからなる。
後部の支持壁(５)のガイド壁(51)は支持壁(５)の外側面(53)に沿い支持壁(５)の長さ方向の全長に亘って延びている。
【００１３】
上記各ガイド壁(41)(41)(51)は、夫々厚みと突出高さは揃っており、厚みは５〜１０mm、突出高さは１５〜２５mmである。
前部の支持壁(４)上のガイド壁(41)は、夫々支持壁(４)の前面(42)、外側面(43)、内側面(44)に面が揃っており、後部の支持壁(５)上のガイド壁(51)は支持壁(５)の外側面(53)に面が揃っている。
【００１４】
３つの支持壁(４)(４)(５)に跨って補強板(６)がネジ止め固定される。
図７は、テレビ台(３)の補強板(６)とテレビジョン(１)の脚部(２)が重なった状態を示し、ガイド壁(41)(41)(51)の部分を除く、一方の斜線部分が脚部(２)、該斜線部と重なった他方の斜線部が補強板(６)を表している。
実施例の補強板(６)は、厚み３〜８mmのアルミニューム板を型切りしたものであって、前部両端は支持壁(４)(４)の上端の載せ面(40)の形状に対応して形成され、後部は支持壁(５)のガイド壁(51)の湾曲に沿う円弧状に形成されている。
補強板(６)の前部は両端を残して切欠部(60)が設けられ、両端は前記ガイド壁(41)の前ガイド片(41a)、外ガイド片(41b)及び内ガイド片(41c)に嵌まる前方突出部(63)(63)となっている。
補強板(６)の前記支持壁(４)(５)間の開口(30)との対応部分にも切欠部(62)(62)が設けられている。
支持壁(４)(４)(５)に補強板(６)を載せた結果、ガイド壁(41)(51)の有効高さは１０〜２０mm、実施例では１８mmとなる。
【００１５】
図１に示す如く、補強板(６)の下方に、支持壁(４)(４)(５)に跨って厚硝子板の棚板(61)がベース板(31)と平行に設けられている。
【００１６】
テレビジョン(１)のキャビネットは、フラット型ブラウン管(10)を包囲した前キャビネット(11)と後キャビネット(12)によって構成される。
前キャビネット(11)の前面(14)は、テレビ台(３)の前部の支持壁(４)(４)の前面(42)(42)に面が揃い、両側面(15)(15)は、支持壁(４)(４)の外側面(43)(43)に面が揃う。
後キャビネット(12)の側面(13)は、テレビ台(３)のベース板(31)の円弧縁と一致する曲面を呈し、該側面(13)はテレビ台(３)の支持壁(５)の外側面(53)に面が揃う。
【００１７】
テレビジョン(１)の底部には、上記テレビ台(３)のガイド壁(41)(41)(51)間に嵌まり込む短い脚部(２)が形成されている。脚部(２)の突出高さは、ガイド壁(41)(41)(51)の有効突出高さより僅か、実施例では１〜２mm程度大である。
脚部(２)の底面形状は前記テレビ台(３)の補強板(６)と同一形状である。
【００１８】
テレビジョン底部の前記各ガイド壁(41)(41)(51)との対応部分は、図８に示す如く、テレビジョン(１)の側面から脚部(２)までの入り込み幅Ｗ１が人の手指が引っ掛かり難い細幅の手指引掛け禁止領域(21)となり、該手指引掛け禁止領域(21)は、前記テレビ台(３)の前後の各支持壁(４)(４)(５)のガイド壁(41)(41)(51)の厚みにほぼ対応している。
【００１９】
テレビジョン底部の前部と後部の支持壁(４)(５)間及び両前部の支持壁(４)(４)間との対応部分は、テレビジョン(１)の側面から脚部(２)までの入り込み幅Ｗ２が人の手指が十分に引っ掛かる広幅の手指引掛け許容領域(22)となり、これは、補強板(６)の前部及び左右の切欠部(60)(62)(62)に対応している。
【００２０】
然して、テレビジョン(１)をテレビ台(３)に載せるには、テレビジョン(１)の左右に二人或いは前方と左右に三人の作業者が位置し、夫々テレビジョン底部の手指引掛け許容領域(22)(22)(22)に手指を引っ掛けて持ち上げる。
テレビジョン(１)は大型化するほど、ブラウン管(10)の重量増により、重心が位置するが、テレビジョン底部の前部の手指引掛け許容領域(22)にも作業者の手指が掛かっているため、テレビジョン(１)が前傾することなく安定して持ち上げることができる。
【００２１】
テレビ台(３)のガイド壁(41)(41)(51)間にテレビジョンの脚部(２)を嵌める。
テレビジョン(１)をテレビ台(３)に載せる際、各手指引掛け許容領域(22)の下方は補強板(６)の切欠部(60)(62)(62)によって開放され、テレビジョン(１)とテレビ台(３)との間に手指の挿脱が可能な空間が確保されるため指詰めの危険はない。
又、テレビジョン底部外周の手指引掛け許容領域(22)以外の部分は、手指引掛け禁止領域(21)となり、テレビジョン(１)を持ち上がるほどには手指が掛からぬため、誤って手指引掛け禁止領域(21)に手指を引掛けることもなく、指詰め事故を確実に防ぐことができる。
【００２２】
テレビジョン(１)の脚部(２)は、テレビ台(３)の左右及び後部の支持壁(４)(４)(４)のガイド壁(41)(41)(51)に包囲されているため、テレビ台(３)とテレビジョン(１)の水平方向の位置ずれは生じない。
更に、テレビ台(３)の脚部(２)の高さは、テレビ台(３)の支持壁(４)(４)(５)のガイド壁(41)(41)(51)の有効高さより、１〜２mm大きいだけであるから、テレビ台(３)にテレビジョン(１)を載せたとき、両者の間に目立つ様な隙間は生じない。
【００２３】
然も、テレビジョン(１)の底部の前側両端及び後部は、テレビ台(３)のガイド壁(41)(41)(51)によって隠れて、テレビ台(３)の前部の支持壁(４)の前面(42)と外側面(43)及び後部の支持壁(５)の外側面(53)は、テレビジョン(１)の前面(14)及び側面(13)に面が揃うため、テレビジョン(１)とテレビ台(３)が恰も一体化した如く調和がとれ、美観を向上できる。
【００２４】
テレビジョン(１)は前部に重心があるため、底部前部に手指引掛け許容領域(22)、即ち、テレビジョン(１)の前面よりも凹んだ部分を設けることは、テレビジョン(１)が前方に倒れ易くなるが、実施例では、テレビジョン(１)の脚部(２)の両端は、前方に延びた突出部(63)(63)を有しているため、テレビジョン(１)に前方へ倒す外力が作用しても、倒れ難い。
又、実施例のテレビ台(３)は、テレビジョン(１)を支える前部の支持壁(４)(４)よりも前方に延びているため、テレビ台(３)を含むテレビジョンセット全体も前方へ倒れ難い。
【００２５】
ベース板(31)や棚板(61)の掃除、或いはベース板(31)や棚板(61)に載せたビデオテープレコーダ等の機器の掃除は、前部の支持壁(４)(４)間の開口のみならず、前後の支持壁(４)(５)間の開口(30)(30)からも行うことができ、テレビ台(３)の奥行きが大きくなっても問題はない。
【００２６】
又、テレビ台(３)及びテレビジョン(１)は後部が半円状に湾曲しているため、部屋の隅を有効に利用して置くことができる。
実施例の様に、テレビ台(３)の後部支持壁(５)に低音域専用のスピーカを組み込めば、大画面に相応した迫力ある音声を楽しむことができる。スピーカの位置は、テレビ台(３)の左右の中心線Ｌから左右何れかにずらしているため、部屋の壁面に接近して台付きテレビジョンを設置しても、スピーカの軸線が部屋の壁に直角に向くことを避けることができ、音響効果を低下させない。
【００２７】
本発明は上記実施例の構成に限定されることはなく特許請求の範囲に記載の範囲で種々の変形が可能である。
【図面の簡単な説明】
【図１】テレビ台にセットしたテレビジョンの斜面図である。
【図２】テレビ台の斜面図である。
【図３】テレビ台とテレビジョンを分離した状態の正面図である。
【図４】テレビ台にセットしたテレビジョンの正面図である。
【図５】テレビ台とテレビジョンを分離した状態の側面図である。
【図６】テレビ台にセットしたテレビジョンの正面図である。
【図７】テレビ台にテレビジョンの脚部(斜線部分)が嵌まった状態の平面図である。
【図８】テレビジョンの底面図(斜線部分が脚部)である。
【符号の説明】
(１)  テレビジョン
(２)  脚部
(21)  手指引掛け禁止領域
(22)  手指引掛け許容領域
(３)  テレビ台
(４)  支持壁
(41)  ガイド壁
(５)  支持壁
(51)  ガイド壁
(６)  補強板
【図１】
0003625729.tif 000002
【図２】
0003625729.tif 000003
【図３】
0003625729.tif 000004
【図４】
0003625729.tif 000005
【図５】
0003625729.tif 000006
【図６】
0003625729.tif 000007
【図７】
0003625729.tif 000008
【図８】
0003625729.tif 000009